(57)【要約】【課題】  生クリームをホイップしたり、卵を溶いたり、卵白でのメレンゲを作成したり、ホットケーキやお好み焼きの粉や具を混ぜたりする際に、撹拌し易く、撹拌効果を簡単に得ることができ、安価で簡単に成形できるようにすることにある。【解決手段】  柄２の先端に深皿形状の掬い部３を連設し、この掬い部３に、先端に向かってＵ字形状に湾曲した溝孔４を、掬い部３の周縁に沿って複数本、同心状に切り欠くことにより、複数の線条５をＵ字形状に残存形成したことを特徴とする。【選択図】        図１
2013052037.tif 000002
【特許請求の範囲】
【請求項１】
柄（２）の先端に深皿形状の掬い部（３）を連設し、該掬い部（３）に、先端に向かって湾曲した溝孔（４）を、前記掬い部（３）の周縁に沿って複数本、同心状に切り欠くことにより、複数の線条（５）を残存形成したことを特徴とする撹拌具。
【請求項２】
線条（５）の断面を下方に突出する三角形状としたことを特徴とする請求項１に記載の撹拌具。
【発明の詳細な説明】
【技術分野】
【０００１】
本発明は、生クリームをホイップしたり、卵を溶いたり、卵白でのメレンゲを作成したり、ホットケーキやお好み焼きの粉や具を混ぜたりするための撹拌具に関するものである。
【背景技術】
【０００２】
生クリームや卵、水で溶いた小麦粉などを混ぜたりする撹拌具として泡立て具が周知であり、以下の如き構成が典型例である。
【先行技術文献】
【特許文献】
【０００３】
【特許文献１】特開２０１１−１３１２０５号公報
【発明の概要】
【発明が解決しようとする課題】
【０００４】
この特許文献１の発明「撹拌具」は、折り返し湾曲させた金属線材の複数を相互にずらして仮想バルーン形状を形成し、この各金属線材の端部を集合させて棒状の柄の先端に固定した構成である。
【０００５】
しかしながらこの構成の撹拌具は、先ず、金属線材の加工及び組み付け固定に手間がかかるので成形費が嵩み、ステンレスなどの金属製であるために材料費も嵩むものになる。
【０００６】
また同じく金属製であるが故に、線材ではあるものの、柄を含めた重量も嵩むため撹拌操作が行いにくく、非力な女性にとっては大きな負担となるものであった。
【０００７】
或いは、例えば菓子の材料としてバターと砂糖とを撹拌混合したような場合、線材に付着した混合物をボウル内に戻すため、ボウルの縁に線材或いは柄を打ち付けると、付着物は反動でむしろ跳ね上がってしまい、周囲を汚す結果となる。特に仮想バルーン形状の線材の内側に付着した混合物は、例えばスプーンの如き他の道具を用いてさえ、かき落としにくいものである。そしてお好み焼きの料理では、小麦粉などの撹拌物にキャベツ等の具を入れて更に撹拌するのであるが、この具が仮想バルーン形状内に入り込んでしまって取り出しにくいこともある。
【０００８】
更には、クリーム状に撹拌した混合物をボウル内でかき集めて他の容器に移し替える場合、或いはお好み焼きやてんぷらの材料を撹拌して調理のために鉄板、鍋等に移し替える場合等でも、上記の構成の撹拌具では線材なので具材が掬いにくく、スプーン等の別の用具を使用せざるを得ない。
【０００９】
また、生クリームをホイップさせるために泡立て具として使用するような場合、線材であるために相互の隙間が大きく、液体状の生クリームがからみつきにくいために泡立つのに時間がかかる欠点もある。
【００１０】
そして使用後の洗浄の際も、仮想バルーン形状内の付着物の除去が完全にできない。特に線材の端部が集中する柄の先端では除去しにくく、極めて不衛生であった。
【００１１】
よって本発明は、上述した従来技術の欠点、不都合、不満を解消するべく開発された撹拌具であって、撹拌し易く、撹拌効果を簡単に得ることができ、安価で簡単に成形できるようにすることを目的とする。
【課題を解決するための手段】
【００１２】
上記課題を解決するため、本発明の撹拌具は、柄の先端に深皿形状の掬い部を連設し、この掬い部に、先端に向かって湾曲した溝孔を、前記した掬い部の周縁に沿って複数本、同心状に切り欠くことにより、複数の線条を残存形成したことを特徴とする。
【００１３】
この場合、線条の断面を下方に突出する三角形状としたことを特徴とする。
【発明の効果】
【００１４】
上記した本発明にあって、深皿形状の掬い部では、複数の線条と湾曲した複数の溝孔とが交互に形成され、複数の線条は掬い部が深皿形状であるために擂り鉢状の階段形態になっている。従って、線条はその幅分及び掬い部の肉厚分の太さを有し、各線条間の隙間は溝孔の幅程度の細さとなる。即ち、ここでの線条の太さは、前記した従来の仮想バルーン形状の撹拌具の線材よりも充分に大きくとることができ、且つ各線条間の隙間は従来の各線材の隙間よりも充分に小さくすることができる。
【００１５】
そこでボウルに入れた例えば生クリーム等の材料を掬うようにしながらかき混ぜると、線条が太いために材料がからみつき易く、また線条間の隙間（溝孔の幅）が細いので小さな気泡が形成され易く、短時間の作業でキメの細かいホイップを得ることができる。
【００１６】
本発明の撹拌具は、合成樹脂で一体成形することができるので、成形が容易であるばかりでなく材料費を含む成形費を低廉に抑えることができ、軽量であるため撹拌操作も極めて容易である。
【００１７】
撹拌操作後に付着した混合物は、掬い部を反転させてボウルの縁に柄を打ち付けるだけでボウル内に確実かつ容易に戻すことができ、溝孔を含む各部分に大きな付着物が残存することはないので、スプーンの如き他の道具を用いる必要もない。
【００１８】
また、掬い部は基本的には深皿形状であるので、クリーム状に撹拌した混合物をボウルから他の容器に容易に移し替えることができ、或いは撹拌したお好み焼きやてんぷらの材料を調理のために鉄板、鍋等に移し替えるのも容易である。
【００１９】
そして使用後の洗浄も、単に深皿を洗うが如き操作で溝孔部分まで充分に付着物を除去することができて衛生的である等、多くの優れた作用効果を奏する。
【図面の簡単な説明】
【００２０】
【図１】撹拌具の斜視図である。
【図２】撹拌具の平面図である。
【図３】撹拌具の軸方向に沿った断面図である。
【図４】使用状態を示す斜視である。
【図５】水平に載置した状態の正面図である。
【図６】他の実施例を示す平面図である。
【発明を実施するための形態】
【００２１】
本発明の撹拌具１は、比較的硬質の合成樹脂で一体成形されるもので、柄２の先端に深皿形状の掬い部３を連設した構成であるが、この掬い部３には、先端に向かってＵ字形状に湾曲した溝孔４が複数本、同心状に貫通切り欠かれている。このＵ字形状は、掬い部３の周縁に沿って形成されるものであり、この複数本は、掬い部３の基端から先端にかけての軸芯と同心状に形成されている。
【００２２】
そしてこの複数本の溝孔４を設けることにより、掬い部３に複数の線条５をＵ字形状に残存形成するのである。
【００２３】
また、線条５の断面を下方に突出する三角形状とする。従って、例えばゆで卵をボウルＡの内面との間で押し潰すことが可能である。
【実施例１】
【００２４】
成形材料の合成樹脂としてはいかなる材質でも良いが、ポリプロピレン、ポリエチレン、ナイロン等が望ましく、軽量であるので撹拌作業が容易であり、階段状に形成される各線条５に或る程度の弾撥力を付与することになるので、図４の如くボウルＡの内面に押し付けるように沿って撹拌する場合、弾性変形して操作し易いばかりでなく、ボウルＡ内面との間に形成される僅かの隙間により、撹拌材料に細かな気泡の形成を生じさせることができる。
【００２５】
掬い部３に貫通切り欠きする溝孔４は、図示実施例では四本であり、従って残存形成される線条５も四本であるが、泡立ち効果をより高めるために本数を多くしても良いものである。また、具をより確実に掬うための目的で、溝孔４の幅を小さくすると共に線条５の幅を大きくしても良い。
【００２６】
尚、柄２の下部背面には突起６が付設されてあり、撹拌具１をテーブル上に置いた際に、柄２の基端とこの突起６とにより全体を支持し、先端の掬い部３が浮き上がるようになっている（図５参照）。これは、撹拌作業の途中で他の具を追加するために中断しなければならないような場合、掬い部３に付着した混合物が直接テーブル面に接しないようにするためである。
【実施例２】
【００２７】
図６は掬い部３の他の形態を示すもので、各線条５を、掬い部３のほぼ中心から放射状に延出するプレート７で連結している。このプレート７により、各線条５の姿勢が安定するばかりでなく、掬い部３の左右方向への動きに伴い材料がプレート７にもからみつくので、更にキメの細かいホイップを得ることができる。
【符号の説明】
【００２８】
１    撹拌具
２    柄
３    掬い部
４    溝孔
５    線条
６    突起
７    プレート
【図１】
2013052037.tif 000003
【図２】
2013052037.tif 000004
【図３】
2013052037.tif 000005
【図４】
2013052037.tif 000006
【図５】
2013052037.tif 000007
【図６】
2013052037.tif 000008